(57)【要約】【課題】  パネルが反ったり変形したりするのを防ぐと共に、パネルを見栄え良く飾ることができる。【解決手段】  パネル板１２の外周縁に沿って裏面側に起立するサイド板１４をパネル板と一体に設けるため、表面側にシート材１８が貼り付けられた平板状をなす基板１６の裏面側に、基板の、パネル板となる部位とサイド板となる部位との境界部２２と、隣接するサイド板どうしの接合部２４となる部位とに、シート材１８には至らない深さの断面Ｖ字状をなす溝２０を形成し、サイド板を裏面方向に直角に折り返して固定したパネル１０と、枠体状に形成され、表面側にパネルのサイド板が嵌め込まれる嵌合溝３２が環状に設けられた枠縁３０とを、枠縁の表面側から、パネルのサイド板を嵌合溝に嵌め込んで一体に設けている。【選択図】          図１
2005138548.tif 000002
【特許請求の範囲】
【請求項１】
パネル板の外周縁に沿って裏面側に起立するサイド板をパネル板と一体に設けるため、表面側にシート材が貼り付けられた平板状をなす基板の裏面側に、該基板の、前記パネル板となる部位と前記サイド板となる部位との境界部と、隣接するサイド板どうしの接合部となる部位とに、前記シート材には至らない深さの断面Ｖ字状をなす溝を形成し、前記サイド板を裏面方向に直角に折り返して固定したパネルと、
枠体状に形成され、表面側に前記パネルのサイド板が嵌め込まれる嵌合溝が環状に設けられた枠縁とを、
該枠縁の表面側から、前記パネルのサイド板を前記嵌合溝に嵌め込んで一体に設けていることを特徴とする枠縁付きパネル。
【請求項２】
前記基板には、前記シート材としてキャンバスが貼り付けられ、
前記枠縁には、前記嵌合溝の外側に隣接して、嵌合溝よりも浅い凹部が設けられていることを特徴とする請求項１記載の枠縁付きパネル。
【請求項３】
パネル板の外周縁に沿って裏面側に起立するサイド板をパネル板と一体に設けるため、表面側に剥離可能な保護シートが貼り付けられた平板状をなす基板の裏面側に、該基板の前記パネル板となる部位と前記サイド板となる部位との境界部と、隣接するサイド板どうしの接合部となる部位とに、前記保護シートには至らない深さの断面Ｖ字状をなす溝を形成し、前記サイド板を裏面方向に直角に折り返して固定した後、前記保護シートを剥がして形成されたパネルと、
枠体状に形成され、表面側に前記パネルのサイド板が嵌め込まれる嵌合溝が環状に設けられた枠縁とを、
該枠縁の表面から、前記パネルのサイド板を前記嵌合溝に嵌め込んで一体に設けていることを特徴とする枠縁付きパネル。
【請求項４】
前記枠縁の表面が、前記パネルの表面と略同一平面となるように設けられていることを特徴とする請求項１〜３のうちのいずれか一項記載の枠縁付きパネル。
【請求項５】
前記枠縁の表面が、前記パネルの表面と略同一平面となるように設けられ、前記パネルと前記枠縁とを一体に設けた枠縁付きパネルの表面に、シート部材を被覆していることを特徴とする請求項３記載の枠縁付きパネル。
【請求項６】
前記基板が、繊維板により形成されていることを特徴とする請求項１〜５のうちのいずれか一項記載の枠縁付きパネル。
【請求項７】
前記パネルには、前記パネル板の裏面にキャンバスが貼り付けられていることを特徴とする請求項１、３、４、６のうちのいずれか一項記載の枠縁付きパネル。
【発明の詳細な説明】
【技術分野】
【０００１】
本発明は、パネルを枠縁に嵌め合わせて一体に設けることができる枠縁付きパネルに関する。
【背景技術】
【０００２】
絵画などを描く際に用いられるパネルを図２に一例として示す。
図示するパネル１０は、先に、本発明者によって考案されたものであり、図２(c)，(d)に示すように、パネル板１２と、パネル板１２の外周縁に沿って裏面側に起立するサイド板１４とを一体に設けたものである。このパネル１０は、平板状の基板１６の表面側にキャンバス１８が貼り付けられ、サイド板１４となる部位を裏面側に直角に折り返し固定して形成されたものである。
【特許文献１】特願２００３−２７０７９２号公報
【発明の開示】
【発明が解決しようとする課題】
【０００３】
ところで、上記パネル１０は、絵を描く際に持ち運ぶため、ある程度軽量に設けることから基板１６は薄く形成されている。しかしながら、薄い基板１６により形成されたパネル１０は、反ったり変形したりするおそれがあり強度に問題があった。
【０００４】
また、絵を描いたパネル１０を飾る際、パネル１０を額縁に入れて飾ると見栄え良く飾ることができるが、額縁は高価であることから買うのを断念し、パネル１０をそのまま飾る場合がある。この場合、パネル１０の縁についた絵の具や汚れ等が目立ち、きれいに飾ることができないという問題がある。
【０００５】
そこで、本発明においては、パネルが反ったり変形したりするのを防ぐと共に、パネルを見栄え良く飾ることができる枠縁付きパネルを提供することにある。
【課題を解決するための手段】
【０００６】
本発明は、上記目的を達成するため次の構成を備える。
すなわち、パネル板の外周縁に沿って裏面側に起立するサイド板をパネル板と一体に設けるため、表面側にシート材が貼り付けられた平板状をなす基板の裏面側に、該基板の、前記パネル板となる部位と前記サイド板となる部位との境界部と、隣接するサイド板どうしの接合部となる部位とに、前記シート材には至らない深さの断面Ｖ字状をなす溝を形成し、前記サイド板を裏面方向に直角に折り返して固定したパネルと、枠体状に形成され、表面側に前記パネルのサイド板が嵌め込まれる嵌合溝が環状に設けられた枠縁とを、該枠縁の表面から、前記パネルのサイド板を前記嵌合溝に嵌め込んで一体に設けていることを特徴とする。
【０００７】
前記基板には、前記シート材としてキャンバスが貼り付けられ、前記枠縁には、前記嵌合溝の外側に隣接して嵌合溝よりも浅い凹部が設けられていることを特徴とする。これにより、パネルの周縁に絵を描く際に、枠縁を汚すことなく絵を描くことができる。
【０００８】
パネル板の外周縁に沿って裏面側に起立するサイド板をパネル板と一体に設けるため、表面側に剥離可能な保護シートが貼り付けられた平板状をなす基板の裏面側に、該基板の前記パネル板となる部位と前記サイド板となる部位との境界部と、隣接するサイド板どうしの接合部となる部位とに、前記保護シートには至らない深さの断面Ｖ字状をなす溝を形成し、前記サイド板を裏面方向に直角に折り返して固定した後、前記保護シートを剥がして形成されたパネルと、枠体状に形成され、表面側に前記パネルのサイド板が嵌め込まれる嵌合溝が環状に設けられた枠縁とを、該枠縁の表面から、前記パネルのサイド板を前記嵌合溝に嵌め込んで一体に設けていることを特徴とする。このように、パネルの表面に保護シートを貼ってパネルを形成した後、保護シートを剥がして枠縁と一体に設けられていることによって、表面側に基板が剥き出しの枠縁付きパネルを形成することができる。なお、基板の表面側に貼り付けられる保護シートは、表面に一面に貼り付けられていることに限定されるものではなく、基板にＶ溝が設けられる位置の表面側にのみ保護シートが貼り付けられていることであっても良い。
【０００９】
前記枠縁の表面が、前記パネルの表面と略同一平面となるように設けられていることを特徴とする。
前記枠縁の表面が、前記パネルの表面と略同一平面となるように設けられ、前記パネルと前記枠縁とを一体に設けた枠縁付きパネルの表面に、シート部材を被覆していることを特徴とする。これにより、表面側に基板が剥き出しとなった枠縁付きパネルの表面が平坦に形成され、この表面に、画用紙や黒板用シート、平板状のコルク等のシート部材を被覆して設けることで、変形しにくい黒板やコルク板等を形成することができる。
前記基板が、繊維板により形成されていることを特徴とする。これにより、ベニヤ板よりも安価に形成することができる。
前記パネルには、前記パネル板の裏面にキャンバスが貼り付けられていることを特徴とする。これにより、パネルの裏面に絵を描き、枠縁付きパネルを裏面に向けて飾ることができる。
【発明の効果】
【００１０】
本発明は、パネル板の外周縁に沿ってサイド板が裏面側に起立して設けられたパネルのサイド板が、枠体状に形成された枠縁に環状に設けられた嵌合溝に嵌め込まれて一体に設けられることから、パネルの周縁部が枠縁により補強されることによって、パネルが反ったり変形したりするのを防止することができる。
また、パネルの周縁部が枠縁により覆われていることにより、枠縁が額縁の役割を果たし見栄え良くパネルを飾ることができる等の著効を奏する。
【発明を実施するための最良の形態】
【００１１】
以下、本発明にかかる枠縁付きパネルの好適な実施の形態を添付図面に基づいて詳細に説明する。
【００１２】
（第１の実施形態）
図１は、本発明にかかる枠縁付きパネルの第１の実施形態の構成を示す正面図およびＡーＡ断面図である。
図示するように、本実施形態の枠縁付きパネル３８は、上述したパネル１０と、このパネル１０のサイド板１４が嵌合する形状に形成された枠縁３０とを嵌め合わせて形成されたものである。
【００１３】
本実施形態のパネル１０は、図２に示すように、長方形状のパネル板１２と、パネル板１２の外周縁に沿って裏面側に起立する長方形状のサイド板１４・・とが一体に設けられたものである。このパネル１０を形成する際には、先ず、図２(a)に示すように、表面側にシート材としてのキャンバス１８が貼り付けられた基板１６を、パネル１０を形成するのに必要な大きさに切り取る。そして、基板１６の裏面側から、パネル板１２となる部位とサイド板１４となる部位との境界部２２と、隣接するサイド板１４どうしの接合部２４となる部位とに、キャンバス１８には至らない深さの断面Ｖ字状をなす溝２０を設ける。
この後、パネル板１２となる部位とサイド板１４となる部位がキャンバス１８により繋がった状態で、サイド板１４となる部位を裏面側に直角に折り返し、Ｖ溝２０に接着剤を塗布して固定することによって、図２(c)，(d)に示すパネル１０が形成される。
【００１４】
このパネル１０と嵌合する本実施形態の枠縁を図３に示す。
図示する枠縁３０は、正面形状が矩形の枠体状に形成され、枠縁３０の表面側には嵌合溝３２が設けられている。嵌合溝３２は、枠縁３０を形成する各々の枠辺部３１の幅方向の略中央において長手方向に延びる断面コ字状の溝を連通し、長方形状に環状に形成されている。環状に形成された嵌合溝３２は、パネル１０の４つのサイド板１４・・が嵌め込まれる形状に形成されていると共に、サイド板１４が簡単に抜け落ちない程度に嵌合する溝幅が設けられている。
【００１５】
枠縁３０は、嵌合溝３２により区画されて、嵌合溝３２よりも外側に外周枠部３４が形成され、嵌合溝３２よりも内側に内周枠部３６が形成されている。この枠縁３０にパネル１０を嵌め込むと枠縁３０の内周枠部３６は、パネル１０に隠れ、外周枠部３４の表面３４ａのみが露出する。
本実施形態においては、枠縁３０にパネル１０を嵌め込んで一体に設けた際に、パネル１０の表面１０ａが、外周枠部３４の表面３４ａと略同一平面となるように形成されている。すなわち、内周枠部３６が、外周枠部３４よりも表面側がパネル１０の厚さ分だけ浅く形成されており、嵌合溝３２が、パネル１０のサイド板１４が嵌め込まれた際に、パネル１０の表面１０ａと外周枠部３４の表面３４ａとが略同一平面となる溝の深さに形成されている。
【００１６】
上記のように構成されている枠縁付きパネル１０は、パネル１０単独の場合に比べると、パネル１０の周縁部が枠縁３０により覆われて補強されていることにより、沿ったり変形したりすることがない。また、枠縁３０が額縁の役割を果たすことによって見栄え良く飾ることができる。
また、本実施形態においては、パネル１０と枠縁３０とを嵌合させて一体に設けたものであるため、パネル１０を枠縁３０からいつでも取り外すことができる。このため、取り外したパネル１０に絵を描き、飾る際に枠縁３０と一体に設けることで、パネル１０の側面にはみ出して描いてしまった絵を枠縁３０により隠すことができ、見栄え良く飾ることができる。
【００１７】
なお、本実施形態においては、パネル１０の基板１６として中密度繊維板（ＭＤＦ）が用いられている。これは、一般的に、ＭＤＦがベニヤ板よりも安価で、加工しやすいものであることによる。また、本実施形態の枠縁３０は木により形成されているものであるが、これは、パネル１０と嵌合させる際に、好適に嵌合し、且つ見栄え良く設けることができるという理由によるものである。
【００１８】
ただし、本発明においては、上述した実施の形態に限定されるものではない。例えば、本実施形態においては、枠縁３０の表面３４ａとパネル１０の表面１０ａとが略同一平面となるよう平坦面に形成されているが、これに限定されるものでない。図４に示すように、外周枠部３４の表面３４ａが枠縁３０の外側に向かうにしたがって正面側に突出するテーパ面に形成され、パネルの表面１０ａよりも前方に突出した形状に形成されていることであっても良い。
【００１９】
（第２の実施形態）
図５は、本発明にかかる枠縁付きパネルの第２の実施形態の構成を示す正面図およびＦーＦ断面図であり、図６は、図５に示す枠縁付きパネルの枠縁の構成を示す正面図およびＧーＧ断面図である。
本実施形態の枠縁付きパネル４６は、図２に示すパネル１０を枠縁４０に嵌め込んで一体に設けた際、図５に示すように、パネル１０の周縁に環状に凹部４２が形成されていることを特徴とするものである。
【００２０】
図６に示すように、枠縁４０に設けられた凹部４２は、嵌合溝３２の外側に隣接して嵌合溝３２よりも浅く設けられている。詳細には、図６(b)に示すように、嵌合溝３２の外側に設けられた外周枠部４４の表面側の一部が断面Ｌ字状に切り欠かれて形成されており、凹部４２の底面３２ａが、内周枠部３６の表面３６ａと略同一平面となるように設けられている。
【００２１】
これにより、枠縁４０に嵌め込んだパネル１０の外周縁が、凹部４２によって枠縁４０と離間して設けられる。このため、キャンバス１８の外周縁近傍に絵を描く際に、枠縁４０が邪魔になってうまく描けなかったり、枠縁４０に絵の具がついてしまったりすることがない。
【００２２】
（第３の実施の形態）
図７は、本発明にかかる枠縁付きパネルの第３の実施形態の構成を示す正面図およびＨーＨ断面図である。
図示する枠縁付きパネル５０は、図３に示す枠縁３０に、パネル５４が嵌め込まれたものであるが、本実施形態においては、パネル５４の構成に特徴を有するものである。
【００２３】
本実施形態に用いられるパネル５４は、基板１６の表面にシート材として剥離可能な保護シートを貼り付けた後、上記のパネル１０と同様、パネル板１２となる部位とサイド板１４となる部位との境界部と、隣接するサイド板１４どうしの接合部となる部位とに、基板１６の表面側から保護シートには至らない深さの断面Ｖ字状をなす溝を設け、サイド板１４を裏面側に直角に折り返し、Ｖ溝に接着剤を塗布し固定したものである。そして、サイド板１４が裏面側に起立して固定された後に、保護シートを剥がして設けられたものである。
【００２４】
このパネル５４と、図３に示す枠縁３０とを嵌め合わせて形成された枠縁付きパネル５０は、図７に示すように、パネル５４の表面５４ａに、基板１６が剥き出しとなり、パネル５４の表面５４ａと枠縁３０の外周枠部３４表面３４ａとが略同一平面となるように形成されている。
【００２５】
そして、本実施形態においては、図８に示すように、上記構成の枠縁付きパネル５０に、シート部材として画用紙５６を被覆して絵画用パネルとして設けている。
本実施形態において画用紙５６は、湿らせて枠縁付きパネル５０の表面５０ａおよび側面５０ｂを覆うように被覆され、枠縁付きパネル５０の側面５０ｂに画用紙５６の外側から、コ字状の針等の留め部材を打ち込んで取り付けられている。これにより、画用紙５６は、乾くと枠縁付きパネル５０の表面５０ａ上に弛みなく張られ、画用紙が張られた枠縁付きパネル５０は絵画用パネルとして好適に用いることができる。
【００２６】
なお、本実施形態においては、シート部材として画用紙を用いたが、これに限定されるものではない。例えば、枠縁付きパネル５０に、シート部材として黒板用のシート部材を被覆することで黒板を形成することができ、また、シート部材として平板状のコルクを張り付けることでコルク板を形成することができる。
【００２７】
（第４の実施形態）
図９は、本発明にかかる枠縁付きパネルの第４の実施形態の構成を示す背面図およびＪーＪ断面図である。
枠縁付きパネル６０は、図７と同様の工程で形成されたパネル５４の裏面側にキャンバス６６を貼り付けたパネル６４と、図３に示す枠縁３０とを嵌め合わせて設けられたものである。
すなわち、本実施形態のパネル６４は、パネル板１２の外周縁にサイド板１４が裏面側に起立して形成された後、表面の保護シートを剥がし、パネル６４の裏面にキャンバス６６を貼り付けることによって形成されたものである。
このようにして形成されたパネル６４は、裏面側に貼り付けられたキャンバス６６に絵を描く。そして、裏面のキャンバス６６に絵が描かれたパネル６４を枠縁３０と嵌合させることによって、枠縁３０が額縁の役割をし、裏面側を飾り面として枠縁付きパネル６０を見栄え良く飾ることができる。
【００２８】
（第５の実施形態）
図１０は、本発明にかかる枠縁付きパネルの第５の実施形態の構成を示す正面図およびＫーＫ断面図である。
図示する枠縁付きパネル７０は、正面形状が六角形のパネル７２と、このパネル７２が嵌め込まれる形状に形成された枠縁７４とからなる。
パネル７２は、図１１に示すように、表面にキャンバス７６が貼り付けられた基板７８の裏面側にＶ溝を設け、六角形状のパネル板８０と、パネル板８０の外周縁に設けられたサイド板８２・・を裏面側に起立させて固定して形成されたものである。
【００２９】
このパネル７２が取り付けられる枠縁７４は、正面形状が六角形の枠体状に形成され、表面側に、パネル７２のサイド板８２が嵌合する六角形状の環状の嵌合溝８４が形成されているものである。
なお、枠縁７４の内周枠部８６は、図３に示す枠縁３０と同様、外周枠部８８よりも表面側が浅く形成され、図１０に示すように、外周枠部８８の表面８８ａとパネル７２の表面７２ａとが略同一平面に設けられるように形成されている。
なお、本実施形態においては、パネル板が多角形状に形成されたパネルの一例として六角形のものについて説明したが、三角形や八角形に形成されたパネル、およびこのパネルに嵌合する形状に形成された枠縁を設けて、多角形状の枠縁付きパネルを設けることであっても良い。
【００３０】
なお、上記においては、パネルの外周側を枠縁が覆うことによって、額縁としての役割をし見栄え良く飾ることができるとしたが、枠縁付きパネルに額縁を設けることでも良い。
図１３は、図１に示す枠縁付きパネル３８の外側に額縁９０が取り付けられた状態を示す正面図、ＮーＮ断面図および部分背面図である。
図示する額縁９０は、枠縁付きパネル３８の外周を覆う矩形の枠体状に形成された枠部９２と、枠部９２の内側に張られたガラスまたはアクリル等の透明板９４とを一体に設けられたものである。
額縁９０に枠縁付きパネル３８を収納する際には、先ず、図１３(b)に示すように、額縁９０の背面側から、キャンバス１８が透明板９４に当接するように入れる。そして、枠部９２の裏面９２ｂと枠縁３０の裏面３０ｂとは、額縁９０内に枠縁付きパネル３８が入れられた際に、略同一平面となるように形成されていることから、連結部材９６により外れないように固定することで、額縁９０と枠縁付きパネル３８とを一体に設けることができる。
【００３１】
なお、本発明においては、上記の実施の形態に限定されるものではない。例えば、本実施形態においては、枠縁として木を用いているが、これに限定されるものではなく、合成樹脂や金属などで形成されているものであっても良い。また、パネルを形成する基板の素材も、ＭＤＦに限定するものではなく、集成材や合板等の木質材料や、ボール紙等の紙、アクリル板等の合成樹脂などであってもよい。
なお、枠縁に、模様や図柄等が描かれていたり彫られていたりすると、なおいっそう見栄え良く飾ることができる。
【図面の簡単な説明】
【００３２】
【図１】本発明にかかる枠縁付きパネルの第１の実施形態の構成を示す正面図およびＡーＡ断面図である。
【図２】図１に示す枠縁付きパネルのパネルの構成を示す正面図および断面図である。
【図３】図１に示す枠縁付きパネルの枠縁の構成を示す正面図およびＥーＥ断面図である。
【図４】図１に示す枠縁付きパネルの変形例の構成を示す断面図である。
【図５】本発明にかかる枠縁付きパネルの第２の実施形態の構成を示す正面図およびＦーＦ断面図である。
【図６】図５に示す枠縁付きパネルの枠縁の構成を示す正面図およびＧーＧ断面図である。
【図７】本発明にかかる枠縁付きパネルの第３の実施形態の構成を示す正面図および
【図８】図７に示す枠縁付きパネルの表面にシート部材が被覆された状態を示す正面図およびＩーＩ断面図である。
【図９】本発明にかかる枠縁付きパネルの第４の実施形態の構成を示す背面図およびＪーＪ断面図である。
【図１０】本発明にかかる枠縁付きパネルの第５の実施形態の構成を示す正面図およびＫーＫ断面図である。
【図１１】図１０に示す枠縁付きパネルのパネルの構成を示す正面図およびＬーＬ断面図である。
【図１２】図１０に示す枠縁付きパネルの枠縁の構成を示す正面図およびＭーＭ断面図である。
【図１３】図１に示す枠縁付きパネルの外側に額縁が取り付けられた状態を示す正面図、ＮーＮ断面図および部分背面図である。
【符号の説明】
【００３３】
１０  パネル
１２  パネル板
１４  サイド板
１６  基板
１８  キャンバス
２０  溝
３０  枠縁
３２  嵌合溝
３８  枠縁付きパネル
【図１】
2005138548.tif 000003
【図２】
2005138548.tif 000004
【図３】
2005138548.tif 000005
【図４】
2005138548.tif 000006
【図５】
2005138548.tif 000007
【図６】
2005138548.tif 000008
【図７】
2005138548.tif 000009
【図８】
2005138548.tif 000010
【図９】
2005138548.tif 000011
【図１０】
2005138548.tif 000012
【図１１】
2005138548.tif 000013
【図１２】
2005138548.tif 000014
【図１３】
2005138548.tif 000015